(57)【要約】【課題】  小型化及びコストの削減を図ることができるミラー保持構造を得る。【解決手段】  板ばね１は、その曲げ形状部２を支持板２０の穴２１に引っ掛けるように差し込むことによって支持板２０に係止され、腕部４の反射ミラー押圧部３により反射ミラー１０を支持板方向に押圧して固定する。また、板ばね１の曲げ形状部２と腕部４の間の部位が反射ミラー１０の長手方向側面に近接して配置されており、これにより、反射ミラー１０の長手方向の動きが制限され、支持板２０から反射ミラー１０が脱落することを防止する。【選択図】      図１
2007199218.tif 000002
【特許請求の範囲】
【請求項１】
読取り装置におけるミラーの長手方向両端部を保持するミラー保持構造であって、
前記ミラーの長手方向一端を支持する支持部材と、
前記支持部材に一部が係止され、前記ミラーの前記支持部材に接する面と反対の面を前記支持部材方向に押圧すると共に、前記支持部材に係止される部位と前記支持部材方向に押圧する部位との間の部位が前記ミラーの長手方向側面に近接して配置されるばね部材とを含むことを特徴とするミラー保持構造。
【請求項２】
前記支持部材に係止される部位は、前記支持部材に設けられた開口に挿し込まれて前記支持部材に掛けられる曲げ形状を有することを特徴とする請求項１記載のミラー保持構造。
【請求項３】
前記ばね部材は、略コの字形状を有することを特徴とする請求項１または２記載のミラー保持構造。
【請求項４】
請求項１〜３いずれか記載のミラー保持構造を用いた読取り装置。
【発明の詳細な説明】
【技術分野】
【０００１】
本発明はミラー保持構造及びそれを用いた読取り装置に関し、特にファクシミリ装置、複写機、スキャナ等のように原稿の読取りを行う原稿読取り装置における光学系構造を構成する光学ミラーの保持構造に関する。
【背景技術】
【０００２】
図５は特許文献１に開示された従来のミラー保持構造を示す図である。図５において、従来のミラー保持構造は、支持板１０４の穴形状部（ミラー取付部）１０２に差し入れられた反射ミラー１０３を支持板１０４に押圧固定するための板ばね１０５が反射ミラー１０３の反射面１０３ｂ背面１０３ａ側に実装される構造となっている。なお、１０６は表面の摩擦抵抗が大きい部材からなる板状のずれ防止手段である。
【０００３】
【特許文献１】特開平１１−０５２４９４号公報
【特許文献２】特開２００２−１４８５４７号公報
【発明の開示】
【発明が解決しようとする課題】
【０００４】
特許文献１では、反射ミラー１０３を支持板１０４に押圧固定する板ばね１０５が反射ミラー１０３の背面１０３ａ側に配置され、かつ板ばね１０５を支持するための構造部位１０１も反射ミラー１０３の背面１０３ａ側に配置されている。そのため、反射ミラー１０３の背面１０３ａ側に板ばね１０５と板ばね１０５を支持する部位１０１を配置するための空間が必要となり、装置の小型化を妨げることとなる。
【０００５】
また、特許文献１では、反射ミラー１０３と板ばね１０５を支持する支持板１０４が板ばね１０５の支持のために反射ミラー１０３の背面１０３ａ側にも必要となり（板ばね１０５を支持する部位１０１が背面１０３ａ側に必要となり）、さらに反射ミラー１０３の面方向の動きを抑止するために追加する部材が必要となり、組立を行う部品の数が増加するために、装置コストが増大してしまう。
【０００６】
なお、特許文献２には、ミラーを支持する支持部材に一部を係合させて、該ミラーを支持部材方向に押圧固定するばね部材を備えたミラー保持構造が開示されており、これにより、ミラー背面側にばね部材を支持する部位を設けることが必要なくなる。しかしながら、特許文献２に記載のばね部材は、ミラーが振動等によりミラー長手方向に移動した場合に、支持部材からミラーが脱落することを防止する機能を備えていない。
【０００７】
本発明の目的は、小型化及びコストの削減を図ることができるミラー保持構造及びそれを用いた読取り装置を提供することである。
【課題を解決するための手段】
【０００８】
本発明によるミラー保持構造は、読取り装置におけるミラーの長手方向両端部を保持するミラー保持構造であって、前記ミラーの長手方向一端を支持する支持部材と、前記支持部材に一部が係止され、前記ミラーの前記支持部材に接する面と反対の面を前記支持部材方向に押圧すると共に、前記支持部材に係止される部位と前記支持部材方向に押圧する部位との間の部位が前記ミラーの長手方向側面に近接して配置されるばね部材とを含むことを特徴とする。
【０００９】
前記ミラー保持構造において、前記支持部材に係止される部位は、前記支持部材に設けられた開口に挿し込まれて前記支持部材に掛けられる曲げ形状を有することを特徴とし、また、前記ばね部材は、略コの字形状を有することを特徴とする。
【００１０】
本発明による読取り装置は、前記ミラー保持構造を用いていることを特徴とする。
【００１１】
このように、本発明では、ミラーを支持部材に押圧固定するためのばね部材において、ミラーを押圧固定する力の発生方向をばね部材が伸びて元の形状に縮もうとする方向に設定し、かつばね部材の支点をミラーの支持部材に設けている。また、ばね部材は、ミラーの面方向（長手方向）の動きを制限することができるように、ばね部材の支点部分とミラーを支持部材に押圧固定する部分との間の部位がミラーの長手方向側面に近接して配置される形状としている。
【発明の効果】
【００１２】
本発明によれば、ばね部材において、ミラーを押圧固定する力の発生方向を上述のように設定することにより、ばね部材をミラー反射面の裏面側に配置せずともミラーを支持部材に押圧固定することができ、その結果、ミラー反射面の裏面側には部品を配置するための空間が不要となる。また、ばね部材の支点部分とミラーを支持部材に押圧固定する部分との間の部位がミラーの長手方向側面に近接して配置されているので、ミラーが外力によってミラー長手方向に移動した時、ばね部材とミラーが接触することによってミラーの長手方向の動きが抑止され、ミラーの脱落を防止することができる。
【発明を実施するための最良の形態】
【００１３】
以下、本発明の実施例について図面を参照して説明する。
【００１４】
図１は本発明の実施例によるミラー保持構造の断面図であり、図２は図１のミラー保持構造を用いた読取り装置の正面図であり、図３は図１の板ばね１の斜視図であり、図４は図１のミラー保持構造の分解斜視図である。なお、これら各図において、同等部分は同一符号にて示している。
【００１５】
図１において、１０は光路を形成するための反射ミラーである。また、１は金属製の板ばねであり、２は曲げ形状部、３は反射ミラー押圧部、４は腕部である。２０は反射ミラー１０や板ばね１を取付けるための支持板であり、ファクシミリ装置、複写機、スキャナ等の読取り装置の筐体１００（図２参照）内に固定される。２１は板ばね１の曲げ形状部２を差し込んで固定するための穴、２２は反射ミラー１０を支持するための突起である。なお、図２において、１１〜１３は光路を形成するための反射ミラーであり、図１の反射ミラー１０に相当する。
【００１６】
図１、図２及び図４では、反射ミラーの長手方向一端を支持板２０と板ばね１により保持する構成のみしか示されていないが、反射ミラーの他端についても同様に支持板と板ばねにより保持されることは勿論である。
【００１７】
次に、これら図１〜４を参照して本発明の実施例によるミラー保持構造について詳細に説明する。
【００１８】
支持板２０には、反射ミラー１０を保持するための突起２２と、板ばね１を保持するために反射ミラー１０の反射面側となる位置に穴２１とが設けられている。板ばね１は、それ自身が持つ曲げ形状部２を支持板２０の穴２１に引っ掛けるように差し込むことによって曲げ形状部２を支持板２０に係止させ、これにより板ばね１を支持板２０に保持させる。反射ミラー１０を支持板２０に保持固定するためには、反射ミラー１０の反射面を支持板２０の突起２２に当て、板ばね１の反射ミラー押圧部３にて反射ミラー１０背面から板ばね１のばね力により、反射ミラー１０を支持板２０の突起２２に押し当てることによって反射ミラー１０を固定する。
【００１９】
このように、板ばね１の保持点を反射ミラー10の反射面側に設けることによって、反射ミラー１０の背面側には板ばね１の反射ミラー押圧部３を有する腕部４のみ配置されることになる。したがって、反射ミラー１０周囲の反射ミラー固定に要する部品実装のための必要空間を最小にすることができ、装置の小型化を図ることができる。
【００２０】
また、板ばね１は、反射ミラー１０の長手方向側面（反射ミラー１０の一端面）より反射ミラー１０を包み込むような略コの字形状を有しており、板ばね１の曲げ形状部２と腕部４の間の部位が反射ミラー１０の長手方向側面に近接して配置されている。すなわち、板ばね１の内側の面と反射ミラー１０の長手方向側面との空間距離が、板ばね１の取り付け動作と各構成部品の寸法ばらつきを考慮した必要最小限の大きさに設定されている。
【００２１】
したがって、装置の搬送中に振動・衝撃が発生し反射ミラー１０がミラー長手方向に移動した場合にも、反射ミラー１０の長手方向側面が板ばね１の内側の面と接触することによって反射ミラー１０の長手方向の動きが制限され、かつ板ばね１自身も支持板２０に係止されており支持板２０から抜け落ちることがないため、支持板２０から反射ミラー１０が脱落することを防止することができる。
【００２２】
以上説明したように、本発明の実施例によるミラー保持構造では、反射ミラー１０の背面側には板ばね１の腕部４のみ配置され、板ばね１の支持のために反射ミラー１０の背面側に支持板を配置する必要が無いため、反射ミラー１０固定のために必要な空間を最小限に抑え、装置の小型化を図ることができる。
【００２３】
また、本発明の実施例によるミラー保持構造では、板ばね１は反射ミラー１０を押圧固定するばかりでなく、反射ミラー１０の脱落防止機能も備えているので、部品点数を削減してコストの削減を図ることができる。
【００２４】
上記実施例では板ばね１を用いていたが、板材でばねを形成するのではなく、線材を用いてばねを形成するようにしてもよい。この場合も、板材の場合と同様にばねを支持板２０に引っ掛け固定するための曲げ形状部や、反射ミラーを押圧固定するための腕部及び反射ミラー押圧部などの形状を形成して、上記実施例と同様の効果を得ることができる。
【図面の簡単な説明】
【００２５】
【図１】本発明の実施例によるミラー保持構造の断面図である。
【図２】図１のミラー保持構造を用いた読取り装置の正面図である。
【図３】図１の板ばねの斜視図である。
【図４】図１のミラー保持構造の分解斜視図である。
【図５】従来のミラー保持構造を示す図である。
【符号の説明】
【００２６】
１    板ばね
２    曲げ形状部
３    反射ミラー押圧部
４    腕部
１０，１１〜１３    反射ミラー
２０    支持板
２１    穴
２２    突起
１００    筐体
【図１】
2007199218.tif 000003
【図２】
2007199218.tif 000004
【図３】
2007199218.tif 000005
【図４】
2007199218.tif 000006
【図５】
2007199218.tif 000007